(57)【要約】【課題】  電気設備に確実に固定することができる絶縁カバー具を提供する。【解決手段】  絶縁性を有し且つピン碍子１３４を覆うカバー体２１を備える絶縁カバー具１において、カバー体２１及びピン碍子１３４間に配置され、カバー体２１をピン碍子１３４に固定させるべく、気体を内部に入れられることで膨張する固定手段２２，２２を備えることを特徴とする。【選択図】  図２
2011067052.tif 000002
【特許請求の範囲】
【請求項１】
絶縁性を有し且つ電気設備を覆うカバー体を備える絶縁カバー具において、
カバー体及び電気設備間に配置され、カバー体を電気設備に固定させるべく、気体を内部に入れられることで膨張する固定手段を備えることを特徴とする絶縁カバー具。
【請求項２】
カバー体は、電線を支持する碍子部を覆う碍子カバー体と、当該碍子部に支持される電線を覆うべく、碍子カバー体から延びるように配置される電線カバー体とを備え、
固定手段は、碍子カバー体を碍子部に固定させるべく、碍子カバー体及び碍子部間に配置される請求項１に記載の絶縁カバー具。
【発明の詳細な説明】
【技術分野】
【０００１】
本発明は、絶縁性を有し且つ電気設備を覆うカバー体を備える絶縁カバー具に関する。
【背景技術】
【０００２】
従来、電気設備を覆うための絶縁カバー具として、絶縁性を有し且つ電気設備を覆うカバー体を備える絶縁カバー具が知られている（例えば、特許文献１）。斯かる絶縁カバー具においては、カバー体が可撓性を有するシート状に形成されているため、対象となる電気設備に応じてカバー体を変形することができる。
【０００３】
また、絶縁カバー具に覆われる電気設備として、例えば架設される配電設備があり、その一例を図８に示す。図８に示す電気設備１００は、電柱１１０に固定される腕金１２０と、腕金１２０に支持される碍子部１３０と、碍子部１３０に支持される電線１４０とを備える。
【０００４】
碍子部１３０は、腕金１２０の左右側方に配置され且つ腕金１２０に支持される耐張碍子１３１，…と、端の耐張碍子１３１に連結され且つ電線１４０を引き留める引留具１３２，１３２と、各引留具１３２を覆う被覆具１３３，１３３とを備える。そして、碍子部１３０は、腕金１２０の上方に配置され且つ腕金１２０に支持され、電線１４０における各引留具１３２，１３２で引き留められた部位間の部位を、保持具（図示していない）を介して保持するピン碍子１３４を備える。
【先行技術文献】
【特許文献】
【０００５】
【特許文献１】実開平７−９０１１号公報
【発明の概要】
【発明が解決しようとする課題】
【０００６】
ここで、特許文献１に係る絶縁カバー具においては、対象となる電気設備１００に応じてカバー体を変形することはできるが、その変形状態を維持して電気設備１００に確実に固定することはできない。したがって、絶縁カバー具をクリップ等で固定させる必要があり、斯かる作業が煩雑になるといった問題を生じさせる。
【０００７】
よって、本発明は、斯かる事情に鑑み、電気設備に確実に固定することができる絶縁カバー具を提供することを課題とする。
【課題を解決するための手段】
【０００８】
本発明に係る絶縁カバー具は、絶縁性を有し且つ電気設備を覆うカバー体を備える絶縁カバー具において、カバー体及び電気設備間に配置され、カバー体を電気設備に固定させるべく、気体を内部に入れられることで膨張する固定手段を備えることを特徴とする。
【０００９】
本発明に係る絶縁カバー具によれば、電気設備を覆うカバー体と電気設備との間に配置される固定手段が、気体を内部に入れられることで膨張する。これにより、カバー体を電気設備に固定させることができる。
【００１０】
また、本発明に係る絶縁カバー具においては、カバー体は、電線を支持する碍子部を覆う碍子カバー体と、当該碍子部に支持される電線を覆うべく、碍子カバー体から延びるように配置される電線カバー体とを備え、固定手段は、碍子カバー体を碍子部に固定させるべく、碍子カバー体及び碍子部間に配置されてもよい。
【００１１】
斯かる構成の絶縁カバー具によれば、固定手段が碍子カバー体と碍子部との間に配置されるため、碍子部を覆う碍子カバー体を碍子部に固定させることができる。さらに、電線カバー体が碍子カバー体から延びるように配置されるため、電線を支持する碍子部だけでなく、当該碍子部に支持される電線も覆うことができる。
【発明の効果】
【００１２】
以上の如く、本発明に係る絶縁カバー具によれば、電気設備に確実に固定することができるという優れた効果を奏する。
【図面の簡単な説明】
【００１３】
【図１】本発明の一実施形態に係る絶縁カバー具の全体図であって、正面図を示す。
【図２】同実施形態に係る絶縁カバー具の図１のＡ−Ａ線における全体拡大断面図であって、（ａ）は取り付け前の状態を表す図、（ｂ）は取り付け後の状態を表す図を示す。
【図３】同実施形態に係る絶縁カバー具の図１のＢ−Ｂ線における全体拡大断面図であって、（ａ）は取り付け前の状態を表す図、（ｂ）は取り付け後の状態を表す図を示す。
【図４】同実施形態に係る絶縁カバー具の要部拡大概要図であって、（ａ）は取り付け前の状態を表す正面図、（ｂ）は取り付け後の状態を表す正面図を示す。
【図５】同実施形態に係る絶縁カバー具の要部拡大概要図であって、（ａ）は取り付け前の状態を表す内視正面図、（ｂ）は取り付け後の状態を表す内視正面図を示す。
【図６】本発明の他の実施形態に係る絶縁カバー具の全体図であって、正面図を示す。
【図７】本発明のさらに他の実施形態に係る絶縁カバー具の要部概要図であって、（ａ）は取り付け前の状態を表す正面図、（ｂ）はＣ−Ｃ線における断面図、（ｃ）は取り付け後の状態を表す正面図、（ｄ）はＤ−Ｄ線における断面図を示す。
【図８】従来技術における電気設備の概略図であって、正面図を示す。
【発明を実施するための形態】
【００１４】
以下、本発明に係る絶縁カバー具における一実施形態について、図１〜図５を参酌して説明する。なお、図１〜図５において、図８の符号と同一の符号を付した部分は、従来技術と同一の構成又は要素を表す。
【００１５】
図１〜図５に示すように、本実施形態に係る絶縁カバー具１は、電線１４０を支持する碍子部１３０の少なくとも一部と、当該碍子部１３０に支持される電線１４０の少なくとも一部とを覆うように構成される。具体的には、絶縁カバー具１は、絶縁性を有し、ピン碍子１３４を覆う碍子カバー部２と、絶縁性を有し、電線１４０を覆うべく、碍子カバー部２から延びるように配置される一対の電線カバー部３，３とを備える。
【００１６】
碍子カバー部２は、絶縁性を有し、ピン碍子１３４を覆う碍子カバー体２１と、碍子カバー体２１及びピン碍子１３４間に配置され、碍子カバー体２１をピン碍子１３４に固定させるべく、気体を内部に入れられることで膨張する一対の固定手段２２，２２とを備える。また、碍子カバー部２は、各固定手段２２の内部に気体（空気）を送るための第１通気部２３を備える。
【００１７】
碍子カバー体２１は、ピン碍子１３４を内部に収容可能に形成されると共に、ピン碍子１３４を出し入れするために、一部（下方側）が開放されて形成される。具体的には、碍子カバー体２１は、平板状の上壁部２１ａと、上壁部２１ａの両端部にそれぞれ連結され、互いに対向して配置される側壁部２１ｂ，２１ｂとを備え、側面視で略Ｃ字状（略コ字状）に形成される。また、碍子カバー体２１は、例えば硬質合成樹脂（プラスチック等）で形成され、剛性を有する。
【００１８】
各固定手段２２は、袋状（中空状）に形成される。そして、各固定手段２２は、弾性を有し、気体を内部に入れることで膨張（拡大）する一方、気体を外部に出すことで復元して萎む（縮小）ように構成される。また、一対の固定手段２２，２２は、対向するように配置され、それぞれの一部が碍子カバー体２１の各側壁部２１ｂの内側に固定されている。
【００１９】
第１通気部２３は、（手動）ポンプやコンプレッサといった給気手段や加圧手段（図示していない）に接続される第１口部２３ａを備える。また、第１通気部２３は、碍子カバー体２１（上壁部２１ａ）の内部に配置され、第１口部２３ａ及び各固定手段２２間で気体を流通させる第１流通部２３ｂを備える。
【００２０】
第１口部２３ａは、内部に逆止弁機構が設けられている。これにより、第１口部２３ａは、外力が加えられていない状態で、各固定手段２２から外部に気体を出すのを防止する一方、例えば強く摘まれたりして外力が加えられた状態で、各固定手段２２から外部に気体を出すのを許容するように切り替え可能に構成される。
【００２１】
各電線カバー部３は、電線１４０の一部を覆う複数（本実施形態においては四つ）の第１電線カバー体３１，…と、電線１４０の一部を覆うと共に、各第１電線カバー体３１，３１間に配置されて各第１電線カバー体３１，３１を接続する第２電線カバー体３２，…とを備える。なお、各電線カバー体３１，３２は、絶縁性を有する。
【００２２】
また、各電線カバー部３は、各第１電線カバー体３１の一部を開閉させるべく、気体を内部に入れられることで膨張する開閉手段３３と、開閉手段３３の内部に気体を送るための第２通気部３４とを備える。そして、各電線カバー部３は、各第２電線カバー体３２を電線１４０に沿って伸縮させるべく、気体を内部に入れられることで膨張する一対の伸縮手段３５，３５と、各伸縮手段３５の内部に気体を送るための第３通気部３６と、各第２電線カバー体３２を支持する複数の支持体３７，…とを備える。
【００２３】
各第１電線カバー体３１は、平板状の固定部３１ａと、固定部３１ａの両端部にそれぞれ連結され、互いに対向して配置される平板状の一対の可動部３１ｂ，３１ｂとを備える。そして、各第１電線カバー３１は、各可動部３１ｂがヒンジ部３１ｃ，…を介して可動することで、電線１４０を出し入れするために、一部（下方側）が開閉可能に構成される。
【００２４】
なお、各第１電線カバー体３１は、例えば硬質合成樹脂（プラスチック、ゴム等）で形成されることで弾性を有し、開閉手段３３から外力が加えられていない状態では、一部が開放するように構成されている。また、各第１電線カバー体３１は、上方側と下方側とを区画する板状の区画部３１ｄが設けられている。
【００２５】
各第２電線カバー体３２は、シート状に形成され、第１電線カバー体３１よりも可撓性（柔軟性）を有する。そして、各第２電線カバー体３２は、筒状に形成されると共に、軸心方向の両端部がそれぞれ各第１電線カバー体３１と連結される。具体的には、各第２電線カバー体３２は、第１電線カバー体３１の両可動部３１ｂ，３１ｂ及び区画部３１ｄに沿って筒状に形成されている。
【００２６】
これにより、各第２電線カバー体３２は、各第１電線カバー体３１と連動し、電線１４０を出し入れするために、一部（下方側）が開閉可能に構成されている。また、各第２電線カバー体３２は、可撓性（柔軟性）を有すべく、合成樹脂（ビニール、プラスチック、ゴム等）で形成される。
【００２７】
各開閉手段３３は、各第１電線カバー体３１の内部に配置（収容）され、膨張することで各第１電線カバー体３１の一部を開閉させる袋状（中空状）の操作部３３ａ，…を備える。また、各開閉手段３３は、各操作部３３ａ，３３ａ間に配置され、各操作部３３ａ，３３ａを連通させる連通部３３ｂ，…を備える。
【００２８】
各操作部３３ａは、弾性を有し、気体を内部に入れることで膨張（拡大）する一方、気体を外部に出すことで復元して萎む（縮小）ように構成される。そして、各操作部３３ａは、気体を内部に入れられて膨張すると、各第１電線カバー体３１の弾性力に反して、可動部３１ｂ，３１ｂの上方側同士を離反させる。これにより、可動部３１ｂ，３１ｂの下方側同士が接近し、開放していた第１電線カバー体３１の下方側が閉じることになる。
【００２９】
各第２通気部３４は、（手動）ポンプやコンプレッサといった給気手段や加圧手段（図示していない）に接続される第２口部３４ａを備える。また、第２通気部３４は、碍子カバー体２１の内部に配置され、第２口部３４ａ及び開閉手段３３間で気体を流通させる第２流通部３４ｂを備える。
【００３０】
第２口部３４ａは、内部に逆止弁機構が設けられている。これにより、第２口部３４ａは、外力が加えられていない状態で、各開閉手段３３から外部に気体を出すのを防止する一方、例えば強く摘まれたりして外力が加えられた状態で、各開閉手段３３から外部に気体を出すのを許容するように切り替え可能に構成される。
【００３１】
各伸縮手段３５は、長尺な袋状（中空状）に形成され、電線カバー部３が碍子カバー部２から延びる方向に沿って配置される。そして、各伸縮手段３５は、可撓性（柔軟性）を有し、気体を内部に入れることで膨張（拡大）し硬化する一方、気体を外部に出すことで萎んで（縮小し）軟化するように構成される。また、一対の伸縮手段３５，３５は、上下方向で対向するように配置され、各第１電線カバー部３１の内側（一方の可動部３１ａ又は区画部３１ｄ）に固定されている。
【００３２】
各第３通気部３６は、（手動）ポンプやコンプレッサといった給気手段や加圧手段（図示していない）に接続される第３口部３６ａを備える。また、第３通気部３６は、碍子カバー体２１の内部に配置され、第３口部３６ａ及び各伸縮手段３６，３６間で気体を流通させる第３流通部３６ｂを備える。
【００３３】
第３口部３６ａは、内部に逆止弁機構が設けられている。これにより、第３口部３６ａは、外力が加えられていない状態で、各伸縮手段３５から外部に気体を出すのを防止する一方、例えば強く摘まれたりして外力が加えられた状態で、各伸縮手段３５から外部に気体を出すのを許容するように切り替え可能に構成される。
【００３４】
各支持体３７は、長尺に形成され、中央部のヒンジ機構により屈曲可能に構成される。そして、各支持体３７は、第２電線カバー体３２の内部に配置され、各端部が第１電線カバー体３１に連結されている。これにより、各支持体３７は、伸縮手段３５の伸縮と連動して、屈曲して伸縮するように構成されている。また、支持体３７，…は、各第２電線カバー体３２の内部にそれぞれ一対設けられ、互いに上下方向で対向するように配置されている。
【００３５】
以上より、本実施形態に係る絶縁カバー具１によれば、図２に示すように、碍子カバー体２１とピン碍子１３４との間に配置される固定手段２２が、気体を内部に入れられることで膨張する。これにより、固定手段２２が碍子カバー体２１及びピン碍子１３４を押圧（圧迫）し、碍子カバー体２１をピン碍子１３４に固定させることができるため、絶縁カバー具１を電気設備１００に確実に固定することができる。
【００３６】
さらに、絶縁性を有する電線カバー部３（各電線カバー体３１，３２）が碍子カバー部２（碍子カバー体２１）から延びるように配置されるため、電線１４０を支持するピン碍子１３４だけでなく、当該ピン碍子１３４に支持される電線１４０も覆うことができる。したがって、形状の異なるピン碍子１３４と電線１４０とを一体的に覆うことができる。
【００３７】
また、本実施形態に係る絶縁カバー具１によれば、図３に示すように、開閉手段３３により、各電線カバー体３１，３２の一部（下方側）を開閉することができる。これにより、各電線カバー体３１，３２の一部を開放した状態で、電線１４０を各電線カバー体３１，３２の内部に挿入させ、その後、開閉手段３３により各電線カバー体３１，３２の一部を閉塞することで、絶縁カバー具１を電気設備１００に取り付けることができる。
【００３８】
また、本実施形態に係る絶縁カバー具１によれば、図４及び図５に示すように、伸縮手段３５により、各電線カバー体３１，３２が電線１４０に沿って伸縮できるため、固定手段２２により碍子カバー体２１をピン碍子１３４に固定し、開閉手段３３により各電線カバー体３１，３２の一部を閉塞した後に、各伸縮手段３５により、第２電線カバー体３２を電線１４０に沿って伸ばすこともできる。
【００３９】
なお、本発明に係る絶縁カバー具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４０】
例えば、上記実施形態に係る絶縁カバー具１においては、碍子カバー体２１が剛性を有し、各第１電線カバー体３１が弾性を有し、各第２電線カバー体３２が可撓性（柔軟性）を有する場合を説明したが、斯かる場合に限られず、各カバー体は、それぞれ可撓性、弾性、剛性の何れを有する場合でもよい。要するに、固定手段が膨張することで、カバー体（碍子カバー体）が電気設備１００に固定できるように、電気設備１００に固定されるカバー体（碍子カバー体）が固定手段よりも伸縮性を小さくなるように形成されてさえいればよい。
【００４１】
また、上記実施形態に係る絶縁カバー具１においては、弾性を有する、即ち、伸縮性を有する固定手段２２が膨張することで、碍子カバー体２１をピン碍子１３４に固定する場合を説明したが、斯かる場合に限られず、例えば、弾性（伸縮性）を有しないが可撓性を有する固定手段が膨張することで、碍子カバー体２１をピン碍子１３４に固定する場合でもよい。
【００４２】
また、上記実施形態に係る絶縁カバー具１においては、固定手段２２，２２が二つ設けられる場合を説明したが、斯かる場合に限られず、固定手段が一つ又は三つ以上設けられる場合でもよい。
【００４３】
また、上記実施形態に係る絶縁カバー具１においては、固定手段２２により碍子カバー体２１をピン碍子１３４に固定する場合を説明したが、斯かる場合に限られない。例えば、固定手段により、カバー体を電線１４０に固定する場合でもよく、要するに、電気設備１００の一部を覆う絶縁性を有するカバー体が固定手段により電気設備１００に固定されるように構成されていればよい。
【００４４】
また、上記実施形態に係る絶縁カバー具１においては、電線カバー部３が一対設けられる場合を説明したが、斯かる場合に限られず、例えば、図６に示すように、耐張碍子１３１や被覆具１３３に碍子カバー体２１を固定する際には、絶縁カバー具１０は、電線カバー部３を一つ設ける場合でもよい。なお、斯かる絶縁カバー具１０を電気設備１００に取り付ける際には、耐張碍子１３１や被覆具１３３の上方に電線１４０が配置されているため、上記実施形態とは向きを反対にして、絶縁カバー具１０を下方側から取り付ける。
【００４５】
また、上記実施形態に係る絶縁カバー具においては、電線カバー部３が伸縮する場合を説明したが、斯かる場合に限られず、電線カバー部が伸縮しない場合でもよい。
【００４６】
また、上記実施形態に係る絶縁カバー具１においては、第１電線カバー体３１の一部が開閉手段３３により開閉する場合を説明したが、斯かる場合に限られない。例えば、図７に示すように、各第１電線カバー体３１０は、一部が開放されている剛性の本体部３１１と、本体部３１１の開放部を覆うことができる可撓性の被覆部３１２と、被覆部３１２が本体部３１１の開放部を覆うことを維持すべく、本体部３１１と被覆部３１２とを着脱可能にさせる着脱手段３１３とを備える場合でもよい。
【００４７】
図７においては、着脱手段３１３を、一対のファスナ部材３１３ａ，３１３ｂから構成される面ファスナ３１３としている。なお、斯かる構成は、碍子カバー体に採用することもでき、また、第２電線カバー体に採用することもできる。
【００４８】
また、上記実施形態に係る絶縁カバー具１においては、第１〜第３口部２３ａ，３４ａ，３６ａを備える場合を説明したが、斯かる場合に限られず、例えば、口部を一つのみ備え、当該口部と、固定手段２２、開閉手段３３、伸縮手段３５間でそれぞれ気体を流通可能に切り替える切り替え手段を備える場合でもよい。さらには、固定手段、開閉手段、伸縮手段の伸縮性の比を所望の比に設定することにより、切り替え手段を設けることなく、所望の順番で固定手段、開閉手段、伸縮手段を膨らませることもできる。
【符号の説明】
【００４９】
１…絶縁カバー具、２１…碍子カバー体（カバー体）、２２…固定手段、３１…（第１）電線カバー体、３２…（第２）電線カバー体、１００…電気設備、１３０…碍子部、１４０…電線
【図１】
2011067052.tif 000003
【図２】
2011067052.tif 000004
【図３】
2011067052.tif 000005
【図４】
2011067052.tif 000006
【図５】
2011067052.tif 000007
【図６】
2011067052.tif 000008
【図７】
2011067052.tif 000009
【図８】
2011067052.tif 000010